(57)【要約】【課題】興味及び意欲を持続することの可能な知恵の輪パズルを提供すること。【解決手段】知恵の輪パズルであって、台座と、柱状構造体、及びアーチ状構造又は環状構造を有する第１構造体を含む立体構造体と、環状構造を有する部材と、を有し、柱状構造体は、第１連結部材と、第１環状部材と、を有し、側面視において、柱状構造体と第１構造体とは、向かい合うように設けられ、第１連結部材は、第１構造体を通り、第１連結部材の一端は柱状構造体に連結され、第１連結部材の他端は第１環状部材に連結され、柱状構造体及び第１構造体は、第１環状部材の環の内側に含まれる。【選択図】図１
2020174850.tif 000002
【特許請求の範囲】
【請求項１】
台座と、
柱状構造体、及びアーチ状構造又は環状構造を有する第１構造体を含む立体構造体と、
環状構造を有する部材と、を有する知恵の輪パズルであって、
前記柱状構造体は、第１連結部材と、第１環状部材と、を有し、
側面視において、前記柱状構造体と前記第１構造体とは、向かい合うように設けられ、
前記第１連結部材は、前記第１構造体を通り、前記第１連結部材の一端は前記柱状構造体に連結され、前記第１連結部材の他端は前記第１環状部材に連結され、
前記柱状構造体及び前記第１構造体は、前記第１環状部材の環の内側に含まれる、
知恵の輪パズル。
【請求項２】
アーチ状構造又は環状構造を有する第２構造体、第２連結部材、及び第２環状部材をさらに有し、
前記柱状構造体は、前記第２連結部材と、前記第２環状部材と、を有し、
前記第２連結部材は、前記第２構造体を通り、前記第２連結部材の一端は前記柱状構造体に連結され、前記第２連結部材の他端は前記第２環状部材に連結され、
前記柱状構造体及び前記第２構造体は、前記第２環状部材の環の内側に含まれ、
前記第２連結部材の前記台座からの高さは、前記第１連結部材の前記台座からの高さよりも低い、
請求項１に記載の知恵の輪パズル。
【請求項３】
前記第１環状部材は、前記第１連結部材の他端に対して揺動可能に設けられる、
請求項１又は請求項２に記載の知恵の輪パズル。
【請求項４】
前記第２環状部材は、前記第２連結部材の他端に対して揺動可能に設けられる、
請求項２に記載の知恵の輪パズル。
【請求項５】
前記第１構造体又は前記第２構造体は、一つの部材を湾曲して設けたアーチ状構造体、又は、楕円状部材を含む楕円構造体である、
請求項２に記載の知恵の輪パズル。
【請求項６】
前記第１環状部材は二つ以上の連結環状部材から構成される鎖環を有し、
前記連結環状部材のうちの一つは、前記第１連結部材の他端に対して設けられ、
前記第１構造体は、前記連結環状部材のうちの一つの環の内側に含まれ、
前記柱状構造体は、前記連結環状部材のうちの他の一つの環の内側に含まれる、
請求項３に記載の知恵の輪パズル。
【請求項７】
前記第２環状部材は二つ以上の連結環状部材から構成される鎖環を有し、
前記連結環状部材のうちの一つは、前記第２連結部材の他端に対して設けられ、
前記第２構造体は、前記連結環状部材のうちの一つの環の内側に含まれ、
前記柱状構造体は、前記連結環状部材のうちの他の一つの環の内側に含まれる、
請求項４に記載の知恵の輪パズル。
【発明の詳細な説明】
【技術分野】
【０００１】
本発明は、立体構造を有し輪状の紐を用いる知恵の輪パズルに関するものである。
【背景技術】
【０００２】
従来、チャイニーズリングに代表されるように、一端に閉じた輪が付けられた棒からなる複数の支柱と、閉じた輪状の紐とで構成される知恵の輪が知られている。近年は、チャイニーズリングを原型として、剛性材料製の閉じたリングと一端がこのリングに連なる剛性材料製の棒とで一本の支柱とするとき、支柱のリング内側に他のいずれかの支柱の棒が通され、各支柱の棒の他端が互いに連結された複数本の支柱と、軟質材料からなる閉じた輪状の紐とを備え、紐がいずれかの支柱の棒に掛けられた状態から外されることにより解く知恵の輪パズルが提案されている（特許文献１）。また、チャイニーズリングと類似する玩具として、一方の柱にはめ込んでいる輪を他方の柱にはめ込んだままの状態で移す輪移し玩具が知られている（特許文献２）。
【先行技術文献】
【特許文献】
【０００３】
【特許文献１】特許第６１１２９５６号公報
【特許文献２】特開平２−２８３３９２号公報
【発明の概要】
【発明が解決しようとする課題】
【０００４】
しかしながら、輪がつながった形を有している部材と、細長い輪の部材より構成された従来の知恵の輪、又は、一方の柱にはめ込んでいる輪を他方の柱にはめ込んだままの状態で移す輪移し玩具は、解き方が煩雑であると同時に単純な機械的操作の繰り返しになる可能性がある。よって、知恵の輪又は輪移し玩具に対する興味及び知恵の輪又は輪移し玩具を解くことに対する意欲を持続することが困難である。したがって、このような知恵の輪又は輪移し玩具は一般的に普及していない。
【０００５】
本発明の目的の１つは、興味及び意欲を持続することの可能な知恵の輪パズルを提供することにある。
【課題を解決するための手段】
【０００６】
本発明の一実施形態における知恵の輪パズルは、台座と、柱状構造体、及びアーチ状構造又は環状構造を有する第１構造体を含む立体構造体と、環状構造を有する部材と、を有し、柱状構造体は、第１連結部材と、第１環状部材と、を有し、側面視において、柱状構造体と第１構造体とは、向かい合うように設けられ、第１連結部材は、第１構造体を通り、第１連結部材の一端は柱状構造体に連結され、第１連結部材の他端は第１環状部材に連結され、柱状構造体及び第１構造体は、第１環状部材の環の内側に含まれる。
【０００７】
本発明の一実施形態における知恵の輪パズルは、アーチ状構造又は環状構造を有する第２構造体、第２連結部材、及び第２環状部材をさらに有し、柱状構造体は、第２連結部材と、第２環状部材と、を有し、第２連結部材は、第２構造体を通り、第２連結部材の一端は柱状構造体に連結され、第２連結部材の他端は第２環状部材に連結され、柱状構造体及び第２構造体は、第２環状部材の環の内側に含まれ、第２連結部材の台座からの高さは、第１連結部材の台座からの高さよりも低くてもよい。
【０００８】
第１環状部材は、第１連結部材の他端に対して揺動可能に設けられてもよい。
【０００９】
第２環状部材は、第２連結部材の他端に対して揺動可能に設けられてもよい。
【００１０】
第１構造体又は第２構造体は、一つの部材を湾曲して設けたアーチ状構造体、又は、楕円状部材を含む楕円構造体であってもよい。
【００１１】
第１環状部材は二つ以上の連結環状部材から構成される鎖環を有し、連結環状部材のうちの一つは、第１連結部材の他端に対して設けられ、第１構造体は、連結環状部材のうちの一つの環の内側に含まれ、柱状構造体は、連結環状部材のうちの他の一つの環の内側に含まれてもよい。
【００１２】
第２環状部材は二つ以上の連結環状部材から構成される鎖環を有し、連結環状部材のうちの一つは、第２連結部材の他端に対して設けられ、第２構造体は、連結環状部材のうちの一つの環の内側に含まれ、柱状構造体は、連結環状部材のうちの他の一つの環の内側に含まれてもよい。
【発明の効果】
【００１３】
本発明の一実施形態によれば、興味及び意欲を持続することの可能な知恵の輪パズルを提供することができる。
【図面の簡単な説明】
【００１４】
【図１】本発明の一実施形態における知恵の輪パズルの構造を説明する図である。
【図２】本発明の一実施形態における知恵の輪パズル１００の第１の操作及び第１の解法を説明する図である。
【図３】本発明の一実施形態における知恵の輪パズル１００の第２の操作及び第２の解法を説明する図である。
【図４】本発明の一実施形態における知恵の輪パズル２００の第１の操作及び第１の解法を説明する図である。
【図５】本発明の一実施形態における知恵の輪パズル２００の第１の操作及び第１の解法を説明する図である。
【図６】本発明の一実施形態における知恵の輪パズル２００の第２の操作及び第２の解法を説明する図である。
【発明を実施するための形態】
【００１５】
以下、本発明の実施形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまでも一例であって、本発明の解釈を限定するものではない。さらに、本明細書と各図において、既出の図に関して前述したものと同様の要素には、同一の符号又はＡ、Ｂなどのアルファベットを付して、詳細な説明を適宜省略することがある。なお、各要素に対する「第１」、「第２」と付記された文字は、各要素を区別するために用いられる便宜的な標識であり、特段の説明がない限りそれ以上の意味を有さない。
【００１６】
また、本明細書及び図面において、「左」又は「左側」とは、図面の紙面に対して、「左」又は「左側」を意味し、「右」又は「右側」とは、図面の紙面に対して、「右」又は「右側」を意味する。また、「上」又は「上側」とは、図面の紙面に対して、「上」又は「上側」を意味し、「下」又は「下側」とは、図面の紙面に対して、「下」又は「下側」を意味する。したがって、図面に記載された対象を見る方向を任意に変更することにより、上下左右等の関係も対象を見る方向に応じて任意に変更されることは明らかであり、本発明を限定的に解釈するものではない。
【００１７】
１．第１実施形態
１−１．知恵の輪パズル１００の構造
図１（Ａ）は、本発明の第１実施形態における知恵の輪パズル１００の構造を説明する図である。本発明の第１実施形態における知恵の輪パズル１００は、環状の適当な長さを有する紐９０（環状構造を有する部材）を、第１連結部材４０の先端に連結される第１環状部材３０及び支柱１０と向かい合わせに（平行に）設けられる第１構造体５０に出入りさせ、紐９０を支柱１０（柱状構造体）の底部（基底）に絡ませること、又は、支柱１０の底部に絡まっている紐９０を取り外すことによって、楽しむことが可能なパズルである。本明細書中において、知恵の輪パズル１００に紐９０を絡ませることを、知恵の輪パズル１００の操作とよび、知恵の輪パズル１００に絡ませた紐９０を取り外すことを、知恵の輪パズル１００の解法とよぶ。
【００１８】
知恵の輪パズル１００は、支柱１０、台座２０、第１環状部材３０、第１連結部材４０、第１構造体５０、及び、紐９０を有する。支柱１０、台座２０、第１環状部材３０、第１連結部材４０、及び第１構造体５０を構成する材料は、プラスチック、木、又は金属などの容易に変形しない材料を採用する。紐を構成する材料は、ゴム状の部材、又は繊維状の部材などの容易に曲げることが可能な材料を使用する。本明細書等においては、例えば、支柱１０、台座２０、第１環状部材３０、第１連結部材４０、及び第１構造体５０を構成する材料は金属であり、紐を構成する材料は、繊維状の部材である。
【００１９】
支柱１０は、台座２０の略中心に、設けられる。例えば、台座２０の略中心に穴を設け、支柱１０の一端を穴に挿通する。
【００２０】
第１構造体５０は、支柱１０と向かい合うように台座２０に、設けられる。例えば、台座２０の支柱１０と向かい合う位置に穴を設け、第１構造体５０を穴に挿通する。第１構造体５０は、中空部を有する。中空部の形態は、略円状の形態を取ってもよいし、楕円状の形態を取ってもよいし、長円状の形態を取ってもよいし、長方形の形態をとってもよい。第１構造体５０は、紐又は連結部材を通すことが可能な環状であればどのような形態でもよい。また、第１構造体５０は、一つの棒状部材をアーチ状に湾曲させたアーチ状構造体であってもよい。図１（Ａ）に示されるように、第１構造体５０は、例えば、環状構造５０Ａと棒状構造５０Ｂを連結した部材から構成される。
【００２１】
第１環状部材３０は、環状の部材である。図１（Ａ）に示されるように、第１環状部材３０は、例えば、略円状である。第１環状部材３０は、楕円状の形態を取ってもよいし、長円状の形態を取ってもよいし、長方形の形態をとってもよい。第１環状部材３０は、本明細書等で説明する知恵の輪パズルの解法を実践することが可能であり、環状であればどのような形態でもよい。
【００２２】
第１連結部材４０は、環状構造５０Ａを通り、第１連結部材４０の一端４０Ａが第１環状部材３０に連結され、第１連結部材４０の他端４０Ｂが支柱１０に連結される。第１環状部材３０と第１連結部材４０とは、支柱１０に連結されるため、支柱１０が第１環状部材３０と第１連結部材４０とを有すると言い換えてもよい。また、支柱１０と第１構造体５０とは、第１環状部材３０の環の内側に含まれる。
【００２３】
台座２０は、支柱１０、及びアーチ状構造又は環状構造を有する立体構造体を安定して固定するために設けられる。立体構造体は、第１構造体５０、後述する第２構造体８０などである。図１（Ａ）に示されるように、台座２０の形状は、例えば、円の形状を有する板状の部材であるが、この例に限定されない。台座２０の形状は、四角形状でもよいし、多角形状でもよい。台座２０は、支柱１０、及び立体構造体を安定して固定することが可能な構造であれば、どのような構造であってもよい。なお、支柱１０と台座２０とは一体形成されてもよい。支柱１０と台座とを一体形成することによって、知恵の輪パズルの製造コストを低減することができる。
【００２４】
支柱１０、第１構造体５０、及び第２構造体８０は、台座２０に対して、固定されていてもよいし、取り外し可能であってもよい。一つの知恵の輪パズル１００において、支柱１０、第１構造体５０、及び第２構造体８０が、台座２０に対して取り外し可能な場合、ユーザは、支柱１０、第１構造体５０又は第２構造体８０の組み合わせを自由に変更することができる。したがって、ユーザは様々な組み合わせのパズルを楽しむことができる。
【００２５】
１−２．知恵の輪パズル１００の第１の操作
本発明の第１実施形態における知恵の輪パズル１００の第１の操作について、図２を用いて説明する。図１と同一、又は類似する構成については説明を省略することがある。
【００２６】
ここでは、支柱１０の底部に紐９０を絡ませる第１の操作を説明する。本明細書等においては、知恵の輪パズル１００の操作及び解法を説明するため、図１（Ａ）に示されるように、紐９０をはじめに第１環状部材３０に通した状態において、第１連結部材４０及び第１構造体５０が支柱１０の右側にあるものとする。また、紐９０の先端部が、支柱１０に沿って第１環状部材３０の下から上に通され、支柱１０の左側に出ているものとする。また、第１構造体５０と支柱１０の間の空間を第１構造体５０の内側、第１構造体５０の右側の空間を外側、又は、右側空間と呼ぶことがある。
【００２７】
はじめに、紐９０が、台座２０に設けられる各部材から外された状態から、図２（Ａ）に示されるように、紐９０の先端部を支柱１０の左側であって、第１環状部材３０の下方から入れる。次に、図２（Ａ）の矢印ａに示されるように、紐９０の先端部を、支柱１０を越えて右側の支柱１０と第１環状部材３０の間に位置する状態にする。図２（Ａ）を用いて説明された一連の操作をステップ２０１と呼ぶ。
【００２８】
続いて、図２（Ｂ）の矢印ａに示されるように、紐９０の先端部を、環状構造５０Ａの中を通って、第１連結部材４０の他端４０Ｂから一端４０Ａに沿って移動させ、図２（Ｂ）に示されるような第１構造体５０の右側に位置する状態にする（ステップ２０２）。
【００２９】
次に、図２（Ｃ）の矢印ａ及び矢印ｂに示されるように、紐９０の先端部を、第１構造体５０の右側から、第１構造体５０の上を越え、さらに、支柱１０の上を越えて、支柱１０の左側に位置する状態にする（ステップ２０３）。続いて、図２（Ｄ）の矢印ａに示されるように、紐９０の先端部を、第１環状部材３０の上から下に支柱１０に沿って移動する（ステップ２０４）。
【００３０】
さらに、紐９０の先端部を、図２（Ｄ）の矢印ｂ及び図２（Ｅ）の矢印ａに示されるように、第１構造体５０の左側を通って、支柱１０及び第１構造体５０の上を越えるように移動し、図２（Ｅ）に示されるような第１構造体５０の右側空間に紐９０が位置する状態にする（ステップ２０５）。ステップ２０５までの操作により、第１構造体５０に絡まった紐９０を、第１連結部材４０の上から下に移動させた状態にする。
【００３１】
最後に、図２（Ｅ）の矢印ｂに示されるように、紐９０の先端部とは反対側の端部を引っぱることで、紐９０の先端部は環状構造５０Ａの下部を通過し、支柱１０の底部に絡まる状態にする（ステップ２０６）。
【００３２】
１−３．知恵の輪パズル１００の第１の解法
本発明の第１実施形態における知恵の輪パズル１００の第１の解法について説明する。
【００３３】
第１の解法においては、図２を用いて説明されたステップ２０１からステップ２０６の各操作を、ステップ２０６からステップ２０１に、逆に実施することによって、支柱１０の底部に絡まっている紐を、支柱１０から取り外すことができる。以下において、簡単に説明すると、紐９０の先端部を、第１連結部材４０の下側であって第１構造体５０の環状構造５０Ａの下部を通過するように移動させ、第１環状部材３０及び支柱１０の上を越え、支柱１０の左側に位置する状態にする。次に、紐９０の先端部を、第１環状部材３０の左側の下から上に支柱１０に沿って移動し、支柱１０及び第１構造体５０の上を越え、第１構造体５０の右側（第１連結部材４０の一端４０Ａ側）に位置する状態にする。さらに、紐９０の先端部を、第１連結部材４０の一端４０Ａから他端４０Ｂに沿って移動させ、支柱１０の上を越える状態にする。以上によって、紐９０は図２（Ａ）に示す状態になり、紐９０の先端部と反対側を引っ張ることにより、台座２０に設けられる各部材から外された状態にすることができる。
【００３４】
１−４．知恵の輪パズル１００の第２の操作
本発明の第１実施形態における知恵の輪パズル１００の第２の操作について、図３を用いて説明する。図１又は図２と同一、又は類似する構成については説明を省略することがある。
【００３５】
はじめに、紐９０が、台座２０に設けられる各部材から外された状態から、図３（Ａ）に示されるように、紐９０の先端部を、第１連結部材４０の下側であって第１構造体５０の環状構造５０Ａの下部を通過するように移動する（ステップ３０１）。
【００３６】
続いて、図３（Ａ）の矢印ａ及び矢印ｂに示されるように、紐９０の先端部を、第１構造体５０の右側かつ第１環状部材３０の外側から、第１環状部材３０、第１構造体５０及び支柱１０の上を越えて、支柱１０の左側であって第１環状部材３０の左側（外側）に移動し、図３（Ｂ）に示される状態にする（ステップ３０２）。
【００３７】
次に、図３（Ｂ）の矢印ａに示されるように、紐９０の先端部を、第１環状部材３０の下から上に支柱１０に沿って移動する（ステップ３０３）。さらに、図３（Ｃ）の矢印ａに示されるように、紐９０の先端部を、支柱１０及び第１構造体５０を越えて、第１構造体５０の右側に位置する状態にする（ステップ３０４）。
【００３８】
続いて、図３（Ｄ）の矢印ａに示されるように、紐９０の先端部を、環状構造５０Ａの中を通って、第１連結部材４０の一端４０Ａから他端４０Ｂに沿って移動させ、図３（Ｄ）に示されるような支柱１０と第１構造体５０の間に位置する状態にする（ステップ３０５）。
【００３９】
さらに、図３（Ｄ）の矢印ｂ及び矢印ｃに示されるように、紐９０の先端部を、支柱１０と第１構造体５０の間に位置する状態から、支柱１０の上を越えて、第１環状部材３０の下から上に支柱１０に沿って移動し、支柱１０の底部に絡まる状態にする（ステップ３０６）。
【００４０】
１−５．知恵の輪パズル１００の第２の解法
本発明の第１実施形態における知恵の輪パズル１００の第２の解法について説明する。
【００４１】
第２の解法においては、図３を用いて説明されたステップ３０１からステップ３０６の各操作を、ステップ３０６からステップ３０１に、逆に実施することによって、支柱１０の底部に絡まっている紐を、支柱１０から取り外すことができる。以下において、簡単に説明すると、紐９０の先端部を、第１環状部材３０の左側の下から上に移動し、支柱１０の上を越え、支柱１０と第１構造体５０の間に位置する状態にする。次に、紐９０の先端部を、第１連結部材４０の他端４０Ｂから一端４０Ａに沿って移動させ、第１構造体５０の右側に位置する状態にする。さらに、紐９０の先端部を、第１構造体５０及び支柱１０を越えて、第１環状部材３０の上から下に支柱１０に沿って移動したのち、第１環状部材３０の外側（左側から）、支柱１０及び第１構造体５０を越えて、図３（Ａ）に示す状態にする。紐９０の先端部と反対側を引っ張ることにより、台座２０に設けられる各部材から外された状態にすることができる。
【００４２】
１−６．知恵の輪パズル１００の変形例
本明細書等において、第１環状部材３０は、第１連結部材４０の一端４０Ａに対して、揺動可能に設けられてもよい。例えば、第１連結部材４０を針金で作製し、第１連結部材４０の一端４０Ａをリング状にする。第１環状部材３０を第１連結部材４０の一端４０Ａのリング状の部分で脱離不能に囲い込むことで、第１環状部材３０を、第１連結部材４０の一端４０Ａに対して揺動可能に設けることができる。
【００４３】
本明細書等において、第１環状部材３０は、支柱１０と第１構造体５０とを、第１環状部材３０の環の内側に含む例を示すが、この例に限定されない。第１環状部材３０は、支柱１０を、第１環状部材３０の環の内側に含まなくてもよい。例えば、第１環状部材３０は、二つ以上の連結された環状の部材から構成される鎖環を有する。第１環状部材３０が、鎖環を有するとき、鎖環を構成する二つ以上の連結された環状の部材のうち、何れか一つの環状の部材の環の内側に支柱１０を含み、支柱を含む環状の部材に対して、支柱と反対側（第１構造体５０側）に位置する鎖環を構成する何れか一つの環状の部材の環の内側に第１構造体５０を含む。すなわち、知恵の輪パズル１００は、支柱１０を環の内側に含まない環状の部材を有する構成を含むことができる。
【００４４】
本明細書等において、第１連結部材４０は、第１構造体５０の内側を通して、支柱に連結される例を示すが、この例に限定されない。第１連結部材４０は、第１構造体５０の内側を通していなくてもよい。例えば、第１連結部材４０は、第１構造体５０の内側を通さずに、支柱１０に対して第１構造体５０が設けられる側とは反対側に設けられる。
【００４５】
本明細書等において、第１連結部材４０とは異なる連結部材Ａ及び第１環状部材３０とは異なる環状部材Ａを有してもよい。例えば、連結部材Ａの一端を環状部材Ａに連結し、連結部材Ａの他端を支柱１０に連結し、連結部材Ａは第１構造体５０の内側を通さず、環状部材Ａは第１構造体５０を内側に含むように設けてもよい。例えば、連結部材Ａ及び環状部材Ａは、支柱１０に対して第１連結部材４０が設けられる側とは反対側であって、支柱１０に対して第１連結部材４０が設けられる台座２０からの高さよりも高い位置に設けられる。また、例えば、連結部材Ａ及び環状部材Ａは、支柱１０に対して第１連結部材４０が設けられる側とは反対側であって、支柱１０に対して第１連結部材４０が設けられる台座２０からの高さよりも低い位置に設けられる。
【００４６】
以上説明したように、本発明の第１実施形態における知恵の輪パズル１００は、従来の知恵の輪には無い構造を有しているため、従来の知恵の輪とは異なる操作及び解法を必要とし、ユーザが知恵の輪パズルに対する興味及び意欲を持続することが可能である。
【００４７】
また、本発明の第１実施形態における知恵の輪パズル１００は、以上説明したような様々な構成を有することができるため、従来の知恵の輪とは異なる操作及び解法を必要とし、ユーザが知恵の輪パズルに対する興味及び意欲を持続することが可能である。
【００４８】
２．第２実施形態
２−１．知恵の輪パズル２００の構造
図１（Ｂ）は、本発明の第２実施形態における知恵の輪パズル２００の構造を説明する図である。本発明の第２実施形態における知恵の輪パズル２００は、第１実施形態の構成に加え、第２構造体８０、第２連結部材７０、及び第２環状部材６０をさらに含む構成を有する。よって、本発明の第２実施形態における知恵の輪パズル２００の構造の説明においては、第１実施形態の構成と同様の説明は省略され、第２構造体８０、第２連結部材７０、及び第２環状部材６０について主に説明される。図１〜図３と同一、又は類似する構成については説明を省略することがある。
【００４９】
本発明の第２実施形態における知恵の輪パズル２００は、環状の適当な長さを有する紐９０を、第１連結部材４０の先端に連結される第１環状部材３０及び支柱１０と向かい合わせに設けられる第１構造体５０、及び、第２連結部材７０の一端７０Ａに連結される第２環状部材６０及び支柱１０と向かい合わせに設けられる第２構造体８０、に出入りさせ、紐９０を支柱１０の底部に絡ませること、又は、支柱１０の底部に絡まっている紐９０を取り外すことによって、楽しむことが可能なパズルである。
【００５０】
第２構造体８０は、支柱１０と向かい合うように台座２０に、取り外し可能に設けられる。例えば、第１構造体５０と同様に、台座２０の支柱１０と向かい合う位置に穴を設け、第２構造体８０を穴に挿通する。第２構造体８０は、第１構造体５０と同様の構成及び形態をとることができる。図１（Ｂ）に示されるように、第２構造体８０は、例えば、環状構造８０Ａと棒状構造８０Ｂを連結した部材から構成される。
【００５１】
第２環状部材６０は、環状の部材である。図１（Ｂ）に示されるように、第２環状部材６０は、例えば、略円状である。第２環状部材６０は、第１環状部材３０と同様の構成及び形態をとることができる。
【００５２】
第２連結部材７０は、環状構造８０Ａを通り、第２連結部材７０の一端７０Ａが第２環状部材６０に連結され、第２連結部材７０の他端７０Ｂが支柱１０に連結される。第２環状部材６０と第２連結部材７０とは、支柱１０に連結されるため、支柱１０が第２環状部材６０と第２連結部材７０とを有すると言い換えてもよい。また、支柱１０と第２構造体８０とは、第２環状部材６０の環の内側に含まれる。
【００５３】
本発明の第２実施形態における知恵の輪パズル２００において、第２連結部材７０の台座２０からの高さは、第１連結部材４０の台座２０からの高さよりも低いが、この例に限定されない。例えば、本発明の第２実施形態における知恵の輪パズル２００において、第２連結部材７０の台座２０からの高さは、第１連結部材４０の台座２０からの高さよりも高くてもよい。本発明の第２実施形態における知恵の輪パズル２００において、第２連結部材７０の台座２０からの高さと、第１連結部材４０の台座２０からの高さとは、差があればよい。この差によって、第２環状部材６０と、第１環状部材３０との間に空間を設けることができるため、紐９０の移動を円滑に行うことができる。
【００５４】
２−２．知恵の輪パズル２００の第１の操作
本発明の第２実施形態における知恵の輪パズル２００の第１の操作について、図４及び図５を用いて説明する。図１〜図３と同一、又は類似する構成については説明を省略することがある。
【００５５】
ここでは、支柱１０の底部に紐９０を絡ませる第１の操作を説明する。本明細書等においては、知恵の輪パズル２００の操作及び解法を説明するため、図１（Ｂ）に示されるように、第１連結部材４０及び第１構造体５０が支柱１０の右側、第２連結部材７０及び第２構造体８０が支柱１０の左側にあるものとする。また、支柱１０と第１構造体５０及び第２構造体８０との間の空間を内側空間、第１構造体５０及び第２構造体８０の周りの空間を外側とよび、さらに、外側を右側空間、左側空間とよぶことがある。
【００５６】
はじめに、紐９０が、台座２０に設けられる各部材から外された状態から、図１（Ｂ）に示されるように、紐９０を第２環状部材６０の下から上に通したのち、第１連結部材４０より下側であって第１構造体５０の環状構造５０Ａを通し、紐９０の先端部が第１構造体５０の右側かつ第１環状部材３０の外側、すなわち、第１構造体５０の右側であって外側空間に位置する状態にする（ステップ４０１）。
【００５７】
次に、図４（Ａ）の矢印ａ及び矢印ｂに示されるように、紐９０の先端部を、第１構造体５０の右側かつ第１環状部材３０の外側から、第１環状部材３０、第１構造体５０及び支柱１０の上を越えて、支柱１０と第２構造体８０の間の第２環状部材６０の上に移動し、図４（Ｂ）に示される状態にする（ステップ４０２）。
【００５８】
次に、図４（Ｂ）の矢印ａに示されるように、紐９０の先端部を、第１環状部材３０の下から上に支柱１０に沿って移動する（ステップ４０３）。さらに、図４（Ｂ）の矢印ｂに示されるように、紐９０の先端部を、支柱１０及び第１構造体５０を越えて、第１構造体５０の右側に位置する状態にする（ステップ４０４）。
【００５９】
続いて、図４（Ｃ）の矢印ａに示されるように、紐９０の先端部を、環状構造５０Ａの中を通って、第１連結部材４０の一端４０Ａから他端４０Ｂに沿って移動させ、支柱１０と第１構造体５０の間に位置する状態にする（ステップ４０５）。
【００６０】
さらに、図４（Ｄ）の矢印ａに示されるように、紐９０の先端部を、支柱１０と第１構造体５０の間に位置する状態から、支柱１０の上を越えて、第１環状部材３０の上から下に支柱１０に沿って移動する（ステップ４０６）。ここまでの操作によって、紐９０の先端部は、第２連結部材７０の他端７０Ｂの上と支柱１０との交わる部分に絡まる状態になる。
【００６１】
次に、図４（Ｄ）の矢印ｂに示されるように、紐９０の先端部を、環状構造８０Ａの中を通って、第２連結部材７０の他端７０Ｂから一端７０Ａに沿って移動させる。さらに、図４（Ｄ）の矢印ｃに示されるように、紐９０の先端部を、第２構造体８０の左側から第２構造体８０の上を越えるように移動させ、図４（Ｅ）に示されるような第２構造体８０と支柱１０との間であって、第２連結部材７０の他端７０Ｂの上に位置する状態にする（ステップ４０７）。
【００６２】
次に、図４（Ｅ）の矢印ａに示されるように、紐９０の先端部を、第１環状部材３０の下から上に支柱１０に沿って移動する（ステップ４０８）。さらに、図４（Ｆ）の矢印ａに示されるように、紐９０の先端部を、支柱１０を越えて、環状構造５０Ａの中を通って、第１連結部材４０の他端４０Ｂから一端４０Ａに沿って移動させ、図４（Ｆ）に示されるような第１構造体５０の右側に位置する状態にする（ステップ４０９）。
【００６３】
次に、図４（Ｇ）の矢印ａ及び矢印ｂに示されるように、紐９０の先端部を、第１構造体５０の右側から、第１構造体５０及び支柱１０の上を越え、支柱１０と第１環状部材３０の間を上から下に移動させ、支柱１０の左側に位置する状態にする（ステップ４１０）。図４（Ｇ）に示される状態は、第２構造体８０と支柱１０との間であって、第２連結部材７０の他端７０Ｂの上に位置する状態でもある。
【００６４】
さらに、図４（Ｈ）の矢印ａ及び矢印ｂに示されるように、紐９０の先端部が、第２連結部材７０の他端７０Ｂの上に位置する状態から、支柱１０及び第１構造体５０の上を越えるように移動し、第１構造体５０の右側空間に位置する状態にする（ステップ４１１）。ここで、紐９０の先端部とは反対側の他端部（第２構造体８０に絡まっている紐９０の左側の部分）を引っ張ることにより、紐９０の先端部を支柱１０の近傍まで引き寄せる（ステップ４１２）。
【００６５】
続いて、紐９０の先端部を第２環状部材６０の上から下に通し、第１連結部材４０の下側であって第１構造体５０の環状構造５０Ａの下側を通し、図４（Ｉ）に示される状態にする（ステップ４１３）。さらに、図４（Ｉ）の矢印ａ及び矢印ｂに示されるように、紐９０の先端部を、第１環状部材３０の外側、第１構造体５０及び支柱１０の上を越えて、図５（Ａ）に示される位置に移動させた状態にする（ステップ４１４）。図５（Ａ）に示される状態は、紐９０の先端部が第２構造体８０と支柱１０との間であって、第２連結部材７０の上に位置する状態でもある。
【００６６】
紐９０の先端部を、図５（Ａ）に示される状態から図５（Ｂ）に示されるような第１構造体５０の右側に位置する状態にする。具体的には、図５（Ｂ）の矢印ａ及び矢印ｂに示されるように、紐９０の先端部を、支柱１０に沿って第１環状部材３０の下から上に通し、支柱１０及び第１構造体５０の上を越えて、第１構造体５０の右側に位置する状態にする（ステップ４１５）。さらに、図５（Ｂ）の矢印ｃに示されるように、紐９０の先端部を、環状構造５０Ａの中を通って、第１連結部材４０の一端４０Ａから他端４０Ｂに沿って移動させ、支柱１０と第１構造体５０の間に位置する状態にする（ステップ４１６）。
【００６７】
次に、図５（Ｃ）の矢印ａ及び矢印ｂに示されるように、紐９０の先端部を、支柱１０と第１構造体５０の間に位置する状態から、支柱１０の上を越えて、第１環状部材３０の上から下に支柱１０に沿って移動する（ステップ４１７）。ここまでの操作によって、紐９０の先端部は、第２連結部材７０の他端７０Ｂの上と支柱１０との交わる部分に絡まる状態になる。
【００６８】
次に、図５（Ｃ）の矢印ｃに示されるように、紐９０の先端部を、第２構造体８０の上を越えて、図５（Ｄ）に示されるように第２構造体８０の左側に位置する状態にする（ステップ４１８）。
【００６９】
最後に、図５（Ｄ）の矢印ｂに示されるように、紐９０の先端部とは反対側の端部を引っぱることで、紐９０の先端部は環状構造５０Ａの下部を通過し、支柱１０の底部に絡まる状態にする（ステップ４１９）。
【００７０】
２−３．知恵の輪パズル２００の第１の解法
本発明の第２実施形態における知恵の輪パズル２００の第１の解法について説明する。
【００７１】
第１の解法においては、図４及び図５を用いて説明されたステップ４０１からステップ４１９の各操作を、ステップ４１９からステップ４０１に、逆に実施することによって、支柱１０の底部に絡まっている紐を、支柱１０から取り外すことができる。以下において、簡単に説明する。
【００７２】
紐９０の先端部を、支柱１０が配置される側から外側に向かって、第２連結部材７０の下側であって第２構造体８０の環状構造８０Ａの下部を通過させ、第２構造体８０の左側の外側空間に移動させる。次に、紐９０の先端部を、第２環状部材６０の外側、第２構造体８０を越え、第２構造体８０と支柱１０との間の第２連結部材７０の他端７０Ｂの上に移動させる。
【００７３】
さらに、紐９０の先端部を、第１環状部材３０の下から上に支柱１０に沿って移動させ、支柱１０の上を越え、環状構造５０Ａの中を通って、第１連結部材４０の他端４０Ｂから一端４０Ａに沿って移動させ、第１構造体５０の右側の外側空間に移動させる。次に、紐９０の先端部を、第１構造体５０の右側から、第１構造体５０及び支柱１０の上を越え、支柱１０と第１環状部材３０の間を上から下に移動させ、第２構造体８０と支柱１０との間（第２構造体８０と支柱１０との間）に移動させる。
【００７４】
さらに、紐９０の先端部を、第２連結部材７０の他端７０Ｂの上に位置する状態から、第２構造体８０の左側であって第２環状部材６０の外側から支柱１０及び第１構造体５０の上を越えるように移動し、第１構造体５０の右側空間に移動させる。ここで、紐９０の先端部とは反対側の他端部を引っ張ることにより、紐９０の先端部を支柱１０の近傍まで引き寄せる。続いて、紐９０の先端部を、第２環状部材６０の下から上に通し、第１連結部材４０の下側であって第１構造体５０の環状構造５０Ａの下側を通し、再び環状構造５０Ａの右側空間に移動させる。第１環状部材３０の外側、第１構造体５０及び支柱１０の上を越えて、紐９０の先端部が第２構造体８０と支柱１０との間（第２連結部材７０の他端７０Ｂの上）に移動させる。
【００７５】
紐９０の先端部を、支柱１０に沿って第１環状部材３０の下から上に通し、支柱１０及び第１構造体５０の上を越えて、第１構造体５０の右側に移動し、環状構造５０Ａの中を通って、第１連結部材４０の一端４０Ａから他端４０Ｂに沿って移動させ、支柱１０を越え、第１環状部材３０の上から下に支柱１０に沿って移動する。このとき、紐９０は、第１環状部材３０から離れている。続いて、紐９０の先端部を、第２構造体８０の上を越え、第２構造体８０の左側に移動させ、第２構造体８０の環状構造８０Ａの中を、第２連結部材７０に沿って一端７０Ａから他端７０Ｂに向かって移動させる。ここまでの操作によって、紐９０の先端部は、第２連結部材７０の他端７０Ｂの上と支柱１０との交わる部分に絡まる状態になる。
【００７６】
次に、紐９０の先端部を、第１環状部材３０の下から上に支柱１０に沿って移動し、支柱１０を越え、第１構造体５０の中を通って、第１連結部材４０の他端４０Ｂから一端４０Ａに向かって移動させ、第１構造体５０の右側である右側空間に移動させる。さらに、紐９０の先端部を、第１構造体５０及び支柱１０を越えて、第１環状部材３０と支柱１０との間を上から下に移動させる。
【００７７】
最後に、紐９０の先端部を、第２構造体８０と第１環状部材３０の間を、第１環状部材の外側、支柱１０及び第１構造体５０を越えて、第１構造体５０の右側空間に移動させ、紐９０の先端部と反対側を引っ張ることにより、台座２０に設けられる各部材から外された状態にすることができる。
【００７８】
２−４．知恵の輪パズル２００の第２の操作
本発明の第２実施形態における知恵の輪パズル２００の第２の操作について、図６を用いて説明する。図１〜図５と同一、又は類似する構成については説明を省略することがある。
【００７９】
はじめに、紐９０が、台座２０に設けられる各部材から外された状態から、図６（Ａ）に示されるように、紐９０の先端部を、支柱１０と第２構造体８０の間から、第２連結部材７０の下側であって第２構造体８０の環状構造８０Ａの下側を通し、第２構造体８０の左側に移動させる（ステップ５０１）。
【００８０】
続いて、図６（Ａ）の矢印ａ、矢印ｂ、矢印ｃ、図６（Ｂ）の矢印ａ、矢印ｂ、図６（Ｃ）の矢印ａ、及び矢印ｂに示される操作を行う。図６（Ａ）の矢印ａ、矢印ｂ、矢印ｃ、図６（Ｂ）の矢印ａ、矢印ｂ、図６（Ｃ）の矢印ａ、及び矢印ｂに示される操作は、図４（Ｄ）の矢印ｃ、図４（Ｅ）の矢印ａ、図４（Ｆ）の矢印ａ、図４（Ｇ）の矢印ａ、矢印ｂ、図４（Ｈ）の矢印ａ、及び矢印ｂに示される操作（ステップ４０７、ステップ４０８、ステップ４０９、ステップ４１０、ステップ４１１、及びステップ４１２）と同様であるから、ここでの説明は省略される。
【００８１】
次に、紐９０の先端部を第２環状部材６０の下から上に通し、第１連結部材４０の下側であって第１構造体５０の環状構造５０Ａの下側を通し、図６（Ｄ）に示される状態にする（ステップ５１３）。さらに、図６（Ｄ）の矢印ａ、矢印ｂ、図６（Ｅ）の矢印ａ、矢印ｂ、矢印ｃ、図６（Ｆ）の矢印ａ、矢印ｂ、及び矢印ｃの操作が行われる。図６（Ｄ）の矢印ａ、矢印ｂ、図６（Ｅ）の矢印ａ、矢印ｂ、矢印ｃ、図６（Ｆ）の矢印ａ、及び矢印ｂに示される操作は、図４（Ｉ）の矢印ａ、矢印ｂ、図５（Ａ）、図５（Ｂ）の矢印ａ、矢印ｂ、矢印ｃ、図５（Ｃ）の矢印ａ、及び矢印ｂ（ステップ４１４、ステップ４１５、ステップ４１６、ステップ４１７）と同様であるから、ここでの説明は省略される。
【００８２】
続いて、図６（Ｆ）の矢印ｃに示されるように、紐９０の先端部を、第２構造体８０の上を越えた位置に移動させる（ステップ５１８）。さらに、図６（Ｆ）の矢印ｄに示される方向に、紐９０の先端部とは反対側の他端部を引っ張ることにより、紐９０の先端部は、第２連結部材７０に絡まる状態になる（ステップ５１９）。
【００８３】
続いて、図６（Ｆ）の矢印ｃに示されるように、紐９０の先端部を、第２構造体８０の上を越えた位置に移動させる（ステップ５１８）。さらに、図６（Ｆ）の矢印ｄに示される方向に、紐９０の先端部とは反対側の他端部を引っ張ることにより、紐９０の先端部は、第２連結部材７０に絡まる状態になる（ステップ５１９）。
【００８４】
続いて、図６（Ｇ）の矢印ａ、矢印ｂ、図６（Ｈ）の矢印ａ、矢印ｂ、図６（Ｉ）の矢印ａ、及び矢印ｂに示される操作を行う。図６（Ｇ）の矢印ａ、矢印ｂ、図６（Ｈ）の矢印ａ、矢印ｂ、図６（Ｉ）の矢印ａ、及び矢印ｂに示される操作は、図４（Ｅ）の矢印ａ、図４（Ｆ）の矢印ａ、図４（Ｇ）の矢印ａ、矢印ｂ、図４（Ｈ）の矢印ａ、及び矢印ｂに示される操作（ステップ４０８、ステップ４０９、ステップ４１０、ステップ４１１、及びステップ４１２）と同様であるから、ここでの説明は省略される。
【００８５】
最後に、第１構造体５０の右側空間に位置する状態の紐９０の先端部を、紐９０の先端部とは反対側の端部を引っぱることで、紐９０の先端部は環状構造５０Ａの下部を通過し、支柱１０の底部に絡まる状態にする（ステップ５２０）。
【００８６】
２−５．知恵の輪パズル２００の第２の解法
本発明の第２実施形態における知恵の輪パズル２００の第２の解法について説明する。
【００８７】
第２の解法においては、図６を用いて説明された各操作を逆に実施することによって、支柱１０の底部に絡まっている紐を、支柱１０から取り外すことができる。以下において、簡単に説明する。
【００８８】
紐９０の先端部を、第２環状部材６０の下から上に通し、さらに、第１連結部材４０の下側であって、第１構造体５０の環状構造５０Ａの下側を、第１構造体５０の左側から右側に向かって通す。続いて、第１環状部材３０の外側、第１構造体５０及び支柱１０を越えて、第２構造体８０と支柱１０との間（第２構造体８０と支柱１０との間）に移動させる。
【００８９】
さらに、紐９０の先端部を、第１環状部材３０の下から上に支柱１０に沿って移動させ、支柱１０及び第１構造体５０の右側の外側空間に移動させる。さらに、紐９０の先端部を、環状構造５０Ａの中を通って、第１連結部材４０の一端４０Ａから他端４０Ｂに沿って移動させ、支柱１０の上を越え、支柱１０と第１環状部材３０の間を上から下に移動させ、第２構造体８０と支柱１０との間（第２構造体８０と支柱１０との間）に移動させる。このとき、紐９０の先端部は、第２連結部材７０に絡まる状態になる。
【００９０】
続いて、紐９０の先端部を、第２構造体８０の環状構造８０Ａの中を、第２連結部材７０に沿って他端７０Ｂから一端７０Ａに向かって移動させる。さらに、紐９０の先端部を、第２構造体８０の上を越えて、第２構造体８０と環状部材３０との間の空間に移動させ、第１環状部材３０の下から上に支柱１０に沿って移動させる。次に、支柱１０の上を越え、環状構造５０Ａの中を通って、第１連結部材４０の他端４０Ｂから一端４０Ａに沿って移動させ、第１構造体５０の右側の外側空間に移動させる。紐９０の先端部を、第１構造体５０及び支柱１０の上を越えて、第１環状部材３０の上から下に支柱１０に沿って移動する。このとき、紐９０は、第１環状部材３０から離れている。
【００９１】
さらに、紐９０の先端部を、第１環状部材３０の外側、支柱１０及び第１構造体５０を越えて、第１構造体５０の右側に移動させる。ここで、第２構造体８０に絡まっている紐９０を引っぱることで、紐９０の先端部を、支柱１０まで移動させる。続いて、紐９０の先端部を、第２環状部材６０の上から下に通し、さらに、第１連結部材４０の下側であって第１構造体５０の環状構造５０Ａの下側を、第１構造体５０の左側から右側に向かって通す。
【００９２】
続いて、紐９０の先端部を、第１環状部材３０の外側、第１構造体５０及び支柱１０を越えて、第２構造体８０と支柱１０との間（第２構造体８０と支柱１０との間）に移動させる。次に、紐９０の先端部を、支柱１０に沿って第１環状部材３０の下から上に通し、支柱１０及び第１構造体５０の上を越えて、第１構造体５０の右側に移動し、環状構造５０Ａの中を通って、第１連結部材４０の一端４０Ａから他端４０Ｂに沿って移動させ、支柱１０を越え、第１環状部材３０の上から下に支柱１０に沿って移動する。
【００９３】
紐９０の先端部を、第２構造体８０の右側から第２構造体８０の上を越えるように移動させ、第２構造体８０の左側の外側空間に移動させる。最後に、紐９０の先端部と反対側の端部を引っ張ることにより、紐９０を台座２０に設けられる各部材から外された状態にすることができる。
【００９４】
２−６．知恵の輪パズル２００の変形例
本明細書等において、知恵の輪パズル２００は二つの構造体を有する例を示すが、構造体の数は、この例に限定されない。例えば、知恵の輪パズル２００は三つの構造体を有してもよいし、四つ以上の構造体を有してもよい。本明細書等において、知恵の輪パズル２００が有する構造体の数は、ユーザのパズルの操作及び解法に対する興味及び意欲を持続可能な範囲で適宜選択されればよい。
【００９５】
本明細書等において、第２環状部材６０は、第２連結部材７０の一端７０Ａに対して、揺動可能に設けられてもよい。例えば、第２連結部材７０を針金で作製し、第２連結部材７０の一端７０Ａをリング状にする。第２環状部材６０を第２連結部材７０の一端７０Ａのリング状の部分で脱離不能に囲い込むことで、第２環状部材６０を、第２連結部材７０の一端７０Ａに対して揺動可能に設けることができる。
【００９６】
本明細書等において、第２環状部材６０は、支柱１０と第２構造体８０とを、第２環状部材６０の環の内側に含む例を示すが、この例に限定されない。第２環状部材６０は、支柱１０を、第２環状部材６０の環の内側に含まなくてもよい。例えば、第２環状部材６０は、二つ以上の連結された環状の部材から構成される鎖環を有する。第２環状部材６０が、鎖環を有するとき、鎖環を構成する二つ以上の連結された環状の部材のうち、何れか一つの環状の部材の環の内側に支柱１０を含み、支柱を含む環状の部材に対して、支柱と反対側（第２構造体８０側）に位置する鎖環を構成する何れか一つの環状の部材の環の内側に第２構造体８０を含む。すなわち、知恵の輪パズル２００は、支柱１０を環の内側に含まない環状の部材を有する構成を含むことができる。
【００９７】
本明細書等において、第２連結部材７０は、第２構造体８０の内側を通して、支柱に連結される例を示すが、この例に限定されない。第２連結部材７０は、第２構造体８０の内側を通していなくてもよい。例えば、第２連結部材７０は、第２構造体８０の内側を通さずに、支柱１０に対して第２構造体８０が設けられる側とは反対側に設けられる。
【００９８】
本明細書等において、第２連結部材７０とは異なる連結部材Ｂ及び第２環状部材６０とは異なる環状部材Ｂを有してもよい。例えば、連結部材Ｂの一端を環状部材Ｂに連結し、連結部材Ｂの他端を支柱１０に連結し、連結部材Ｂは第２構造体８０の内側を通さず、環状部材Ｂは第２構造体８０を内側に含むように設けてもよい。例えば、連結部材Ｂ及び環状部材Ｂは、支柱１０に対して第２連結部材７０が設けられる側とは反対側であって、支柱１０に対して第２連結部材７０が設けられる台座２０からの高さよりも高い位置に設けられる。また、例えば、連結部材Ｂ及び環状部材Ｂは、支柱１０に対して第２連結部材７０が設けられる側とは反対側であって、支柱１０に対して第２連結部材７０が設けられる台座２０からの高さよりも低い位置に設けられる。
【００９９】
以上説明したように、本発明の第２実施形態における知恵の輪パズル２００のように、知恵の輪パズル１００と比較して複雑な構造のパズルであっても、従来の知恵の輪には無い構造を有しているため、従来の知恵の輪とは異なる操作及び解法を必要とし、ユーザが知恵の輪パズルに対する興味及び意欲を持続することが可能である。
【０１００】
また、本発明の第２実施形態における知恵の輪パズル２００は、知恵の輪パズル１００と同様に、様々な構成を有することができるため、従来の知恵の輪とは異なる操作及び解法を必要とし、ユーザが知恵の輪パズルに対する興味及び意欲を持続することが可能である。
【０１０１】
本発明の実施形態として上述した各実施形態又は各実施形態の一部は、相互に矛盾しない限りにおいて、適宜組み合わせて実施することが可能である。
【０１０２】
本発明に係る実施形態として説明した知恵の輪を基にして、当業者が適宜構成要件の追加、削除もしくは設計変更を行ったもの、又は、工程の追加、省略もしくは条件変更を行ったものも、本発明の要旨を備えている限り、本発明の範囲に含まれる。また、上述した各実施形態は、技術的矛盾の生じない範囲において、相互に組み合わせることが可能である。
【０１０３】
また、上述した実施形態の態様によりもたらされる作用効果とは異なる他の作用効果であっても、本明細書等の記載から明らかなもの、又は、当業者において容易に予測しうるものについては、当然に本発明によりもたらされるものと解される。
【符号の説明】
【０１０４】
１０：支柱、２０：台座、３０：第１環状部材、４０：第１連結部材、４０Ａ：一端、４０Ｂ：他端、５０：第１構造体、５０Ａ：環状構造、５０Ｂ：棒状構造、６０：第２環状部材、７０：第２連結部材、７０Ａ：一端、７０Ｂ：他端、８０：第２構造体、８０Ａ：環状構造、８０Ｂ：棒状構造、９０：紐、１００：知恵の輪パズル、２００：知恵の輪パズル
【図１】
2020174850.tif 000003
【図２】
2020174850.tif 000004
【図３】
2020174850.tif 000005
【図４】
2020174850.tif 000006
【図５】
2020174850.tif 000007
【図６】
2020174850.tif 000008